(57)【要約】本発明はパレンタルレベルに係るマークアップ文書ディスプレイ方法、それに基づいてＡＶデータをインタラクティブモードで再生する方法、その装置及び情報保存媒体に関する。  本発明に係る情報保存媒体は、ＡＶデータと、ＡＶデータをインタラクティブモードで再生するためのマークアップ文書とを含み、マークアップ文書のうち開始文書には設定されたパレンタルレベルに対応してディスプレイされるためのマークアップ文書に関する情報が記録されることを特徴とする。これにより、インタラクティブモードで子供または青少年が見るには不適と見られるインタラクティブコンテンツのディスプレイを制御しうる。
2005532626.tif 000002
【特許請求の範囲】
【請求項１】
ＡＶデータと、
前記ＡＶデータをインタラクティブモードで再生するためのマークアップ文書とを含み、
前記マークアップ文書のうち開始文書には設定されたパレンタルレベルに対応してディスプレイされるためのマークアップ文書に関する情報が記録されることを特徴とする情報保存媒体。
【請求項２】
前記開始文書に記録された情報は、パレンタルレベルが記録されたメタ情報、及び前記設定されたパレンタルレベル及び記録されたパレンタルレベルに対応するマークアップ文書に関するリンク情報を含むことを特徴とする請求項１に記載の情報保存媒体。
【請求項３】
前記リンク情報は、前記設定されたパレンタルレベルが前記メタ情報によるパレンタルレベルより高い時、ディスプレイされるマークアップ文書に関する情報、及び前記設定されたパレンタルレベルが前記メタ情報によるパレンタルレベル以下である時、ディスプレイされるマークアップ文書に関する情報を含むことを特徴とする請求項２に記載の情報保存媒体。
【請求項４】
前記開始文書に記録された情報は、前記設定されたパレンタルレベルに対応するマークアップ文書の経路を知らせるリンク情報であることを特徴とする請求項１に記載の情報保存媒体。
【請求項５】
ＡＶデータと、
前記ＡＶデータをインタラクティブモードで再生するためのものであって、少なくとも２つの相異なるパレンタルレベルに各々対応する複数のマークアップ文書とを含むことを特徴とする情報保存媒体。
【請求項６】
ＡＶデータを保存するビデオディレクトリと、
前記ＡＶデータをインタラクティブモードで再生するためのデータを保存するためのインターラクティブディレクトリとを含み、
前記インターラクティブディレクトリは相異なる２つのパレンタルレベルに対応するサブディレクトリを含み、各サブディレクトリでパレンタルレベルに対応するマークアップ文書が保存されることを特徴とする情報保存媒体。
【請求項７】
ＡＶデータが保存されたビデオディレクトリと、  
前記ＡＶデータをインタラクティブモードで再生するためのマークアップ文書を含む開始文書が保存されたインタラクティブディレクトリとを有し、
前記インタラクティブディレクトリには少なくとも２つの相異なるパレンタルレベルに対応する複数個のサブディレクトリが存在し、前記サブディレクトリには該当パレンタルレベルに対応するマークアップ文書が各々保存されており、前記開始文書は前記各サブディレクトリに保存された複数のマークアップ文書のリンク情報を含むことを特徴とする情報保存媒体。
【請求項８】
前記リンク情報は、リンクタグを用いて記録されることを特徴とする請求項７に記載の情報保存媒体。
【請求項９】
ＡＶデータと、
前記ＡＶデータをインタラクティブモードで再生するためのマークアップ文書と、
設定されたパレンタルレベルに合致するように前記マークアップ文書を表示するためのディスプレイ規則情報とが含まれることを特徴とする情報保存媒体。
【請求項１０】
前記ディスプレイ規則情報は、
少なくとも２つの相異なるパレンタルレベルに対する前記マークアップ文書のエレメントのディスプレイ如何を知らせる情報を含むことを特徴とする請求項９に記載の情報保存媒体。
【請求項１１】
前記ディスプレイ規則情報は、
ＣＳＳ  ｒｕｌｅの形式によって記述されることを特徴とする請求項９に記載の情報保存媒体。
【請求項１２】
前記マークアップ文書の少なくとも１つのエレメントにはクラス値が割当てられており、
前記ディスプレイ規則情報は、
前記エレメントに割当てられたクラス値によるディスプレイ如何を知らせる情報を含むことを特徴とする請求項９に記載の情報保存媒体。
【請求項１３】
前記ディスプレイ規則情報は、ＣＳＳファイルで記録されることを特徴とする請求項１２に記載の情報保存媒体。
【請求項１４】
前記ＡＶデータは、ＤＶＤ−Ｖｉｄｅｏデータであり、
前記パレンタルレベルはＤＶＤ−Ｖｉｄｅｏ規格に合致することを特徴とする請求項１に記載の情報保存媒体。
【請求項１５】
ＡＶデータと、
前記ＡＶデータをインタラクティブモードで再生するための文書であって、設定されたパレンタルレベルに合致するようにスクリプト言語で記述された前記マークアップ文書の表現方式が記録されたマークアップ文書とを含むことを特徴とする情報保存媒体。
【請求項１６】
前記マークアップ文書の表現方式は、スクリプト言語で記述されたスクリプトファイル及びＣＳＳファイルのうち少なくとも１つがリンクされる方式で記述されることを特徴とする請求項１５に記載の情報保存媒体。
【請求項１７】
ＡＶデータをインタラクティブモードで再生する方法において、
設定されたパレンタルレベルを確認する段階と、
確認されたパレンタルレベルに対応するマークアップ文書を用いて前記ＡＶデータをインタラクティブモードで再生する段階とを含むことを特徴とする方法。
【請求項１８】
前記再生段階は、
開始文書として指定されたマークアップ文書にメタ情報として記録されたパレンタルレベルを確認する段階と、
前記前記メタ情報で確認されたパレンタルレベルと前記設定されたパレンタルレベルで確認されたパレンタルレベルとの比較結果に対応するマークアップ文書を用いて、前記ＡＶデータをインタラクティブモードで再生する段階と、を含むことを特徴とする請求項１７に記載の方法。
【請求項１９】
前記メタ情報によるパレンタルレベルが前記設定されたパレンタルレベルより低ければ、対応するインタラクティブコンテンツを表示できないとの警告メッセージが表示されたマークアップ文書を使用して、前記ＡＶデータがインタラクティブモードで再生されることを特徴とする請求項１７に記載の方法。
【請求項２０】
ＡＶデータをインタラクティブモードで再生する方法において、
設定されたパレンタルレベルを確認する段階と、
インタラクティブディレクトリのサブディレクトリのうち、前記設定されたパレンタルレベルに対応するサブディレクトリに保存されたマークアップ文書を読出す段階と、
読出されたマークアップ文書を使用して、前記ＡＶデータをインタラクティブモードで再生する段階とを含むことを特徴とする方法。
【請求項２１】
パレンタルレベルによってマークアップ文書をディスプレイする方法において、
マークアップ文書のエレメントに割当てられた値を確認する段階と、
パレンタルレベルによるディスプレイ如何を定めたディスプレイ規則情報を参照して、前記割当てられた値による前記エレメントのディスプレイ如何を決定する段階とを含むことを特徴とする方法。
【請求項２２】
マークアップ文書を使用してＡＶデータをインタラクティブモードで再生する方法において、
マークアップ文書のエレメントに割当てられたクラス値を確認する段階と、
パレンタルレベルによるディスプレイ如何を定めたディスプレイ規則情報を参照して、前記クラス値による前記エレメントのディスプレイ如何を決定する段階と、
決定された結果によるマークアップ画面に前記ＡＶデータを再生して得られたＡＶ画面を埋込んで再生する段階とを含むことを特徴とする方法。
【請求項２３】
前記ディスプレイ規則情報は、ＣＳＳ  ｒｕｌｅの形式によって記述されることを特徴とする請求項２１に記載の方法。
【請求項２４】
前記ディスプレイ規則情報は、ＣＳＳファイルで記録されることを特徴とする請求項２３に記載の方法。
【請求項２５】
マークアップ文書を用いて情報保存媒体のＡＶデータをインタラクティブモードで再生する装置において、
情報保存媒体から前記マークアップ文書及びＡＶデータを読出すリーダと、
読出されたＡＶデータをデコーディングするＡＶデコーダと、
読出されたマークアップ文書のエレメントに割当てられた値を確認し、パレンタルレベルによるディスプレイ如何を定めたディスプレイ規則情報を参照して前記割当てられた値による前記エレメントのディスプレイ如何を決定するプレゼンテーションエンジンと、
前記プレゼンテーションエンジンにより解釈されたマークアップ文書から得られたマークアップ画面に前記ＡＶデータを再生して得られたＡＶ画面をブレンディングするブレンダーとを含むことを特徴とする装置。
【請求項２６】
前記ディスプレイ規則情報は、ＣＳＳ  ｒｕｌｅの形式によって記述されることを特徴とする請求項２５に記載の装置。
【請求項２７】
前記ディスプレイ規則情報は、ＣＳＳファイルで記録されることを特徴とする請求項２６に記載の装置。
【請求項２８】
再生システムにおいて、
情報保存媒体と、
前記情報保存媒体に記録されたＡＶデータを前記ＡＶデータに対応するマークアップ文書を用いてインターラクティブモードで再生する装置と、
前記マークアップ文書を用いて得られたマークアップスクリーンを、前記ＡＶデータの再生によって得られ、前記マークアップスクリーンに埋め込まれたＡＶスクリーンと共にディスプレイするディスプレイ装置とを含むことを特徴とするシステム。
【請求項２９】
前記インターラクティブモードは、前記ＡＶデータが再生されて前記マークアップ文書により定義されたディスプレイウィンドウでディスプレイされるディスプレイモードであることを特徴とする請求項２８に記載のシステム。
【請求項３０】
前記ＡＶスクリーンは、前記ＡＶデータ再生時に前記ディスプレイ装置にディスプレイされるスクリーンであり、前記マークアップスクリーンは、前記マークアップ文書を解釈する時、前記ディスプレイ装置によりディスプレイされるスクリーンであることを特徴とする請求項２８に記載のシステム。
【請求項３１】
前記ＡＶデータ再生装置は、ユーザがパレンタルレベルを設定できるようにパレンタルレベル設定ボタンまたはオンスクリーンディスプレイメニューを含むことを特徴とする請求項２８に記載のシステム。
【請求項３２】
前記ＡＶデータ再生装置は、ネットワークを通じてデータを受信してデータを伝送することを特徴とする請求項２８に記載のシステム。
【請求項３３】
前記マークアップ文書は、前記ＡＶデータをインターラクティブモードで再生するためのアプリケーションプログラムと前記ＡＶデータと共に前記ディスプレイ装置にディスプレイされるインターラクティブコンテンツとを含むことを特徴とする請求項２８に記載のシステム。
【請求項３４】
情報保存媒体からデータを再生する装置において、
前記情報保存媒体からデータを読込むリーダと、
前記情報保存媒体からＡＶデータとマークアップ文書とを読出すように前記リーダに制御信号を出力する制御器とを含み、
インターラクティブモードで前記制御器は、ユーザにより設定され、前記情報保存媒体に記録された前記ＡＶデータを再生するか否かを示すパレンタルレベルに対応する前記マークアップ文書を解釈することを特徴とする装置。
【請求項３５】
前記ＡＶデータをデコードするＡＶデコーダと、
前記マークアップ文書と、前記ＡＶデータの再生により得られたＡＶスクリーンをブレンディングするブレンダーをさらに含むことを特徴とする請求項３４に記載の装置。
【請求項３６】
ディスプレイウィンドウと、
前記ＡＶデータが前記マークアップ文書により定義された前記ディスプレイウィンドウにディスプレイされ、ＡＶスクリーンが前記マークアップ文書スクリーンに埋め込まれるように、前記ＡＶデータと前記マークアップ文書とをブレンディングするブレンダーとをさらに含むことを特徴とする請求項３４に記載の装置。
【請求項３７】
前記プレゼンテーションエンジンは、プラグインを含むことを特徴とする請求項３４に記載の装置。
【請求項３８】
前記制御器は、ネットワークを通じてデータ及び前記マークアップ文書を検索することを特徴とする請求項３４に記載の装置。
【請求項３９】
前記パレンタルレベルは、互換性のためにデータ保存媒体−ビデオ標準により定義された５個の相異なるパレンタルレベルであるＧ、ＰＧ、ＰＧ１３、Ｒ、ＮＣ−１７を含むことを特徴とする請求項３４に記載の装置。
【請求項４０】
前記制御器は、前記インターラクティブモードでデータ保存媒体−ビデオ標準によって前記情報保存媒体に記録された前記ＡＶデータを再生し、前記マークアップ文書には互換性のためにパレンタルレベルが提供されることを特徴とする請求項３４に記載の装置。
【請求項４１】
前記プレゼンテーションエンジンは、前記装置に設定されたパレンタルレベルを確認するためにアプリケーションプログラムインターフェース（ＡＰＩ）を用いることを特徴とする請求項３４に記載の装置。
【請求項４２】
前記パレンタルレベル情報は、開始文書に記録されるパレンタルレベルであり、前記開始文書は前記パレンタルレベルに関するメタ情報、前記設定されたパレンタルレベル、前記メタ情報で前記パレンタルレベルに対応する前記マークアップ文書のリンク情報を含むことを特徴とする請求項３４に記載の装置。
【請求項４３】
前記リンク情報は、前記ユーザにより設定された前記パレンタルレベルと前記開始文書に記録された前記パレンタルレベルとの高低を示すマークアップ文書情報であることを特徴とする請求項４２に記載の装置。
【請求項４４】
前記制御器は、アプリケーションプログラムインターフェース（ＡＰＩ）を用いて、前記データを再生するために前記装置に設定された前記パレンタルレベルを確認し、開始文書として指定されたマークアップ文書に記録されたメタ情報及びリンク情報を用いて、前記マークアップ文書を解釈することを特徴とする請求項３４に記載の装置。
【請求項４５】
前記情報保存媒体は、前記ＡＶデータが保存されるビデオディレクトリ及び前記インターラクティブモードを支援するために前記マークアップ文書が保存されるインターラクティブディレクトリを有するルートディレクトリを含むことを特徴とする請求項３４に記載の装置。
【請求項４６】
前記リンク情報は、前記データを再生するために前記装置について、前記ユーザにより設定された前記パレンタルレベルを示すマークアップ文書情報を含むことを特徴とする請求項３４に記載の装置。
【請求項４７】
前記マークアップ文書は、ＣＳＳファイルを含むことを特徴とする請求項３４に記載の装置。
【請求項４８】
前記ＣＳＳファイルは、前記マークアップ文書から別途に生成されることを特徴とする請求項４７に記載の装置。
【請求項４９】
前記マークアップ文書は、前記パレンタルレベルに適切な文書を示すためのスクリプト言語を用いて記録されることを特徴とする請求項３４に記載の装置。
【請求項５０】
インターラクティブモードでＡＶデータを再生する方法において、
前記インターラクティブモードを選択する段階と、
ユーザにより設定されたパレンタルレベルを確認する段階と、
開始文書として指定されたマークアップ文書に記録されたパレンタルレベルを確認する段階と、
前記マークアップ文書に記録されたパレンタルレベルと前記ユーザにより設定されたパレンタルレベルとを比較する段階と、
前記開始文書に記録されたパレンタルレベルが前記ユーザにより設定されたパレンタルレベルより低い場合、前記ＡＶデータに対応するインターラクティブコンテンツは、ディスプレイできないことを示す警告メッセージと共に前記マークアップ文書を用いてインターラクティブモードで前記ＡＶデータを再生する段階と、
前記開始文書に記録されたパレンタルレベルが前記ユーザにより設定されたパレンタルレベルより高い場合、前記ＡＶデータに対応するインターラクティブコンテンツを含む前記マークアップ文書を用いて、インターラクティブモードで前記ＡＶデータを再生する段階とを含むことを特徴とする方法。
【請求項５１】
マークアップ文書をディスプレイする方法において、
ユーザにより設定されたパレンタルレベルを確認する段階と、
前記マークアップ文書の所定要素に割当てられたクラス値を確認する段階と、
前記確認されたパレンタルレベル及び前記所定要素に割当てられたクラス値に基づいて、前記所定要素をディスプレイするか否かを決定する段階と、
前記所定要素をディスプレイする段階とを含むことを特徴とする方法。
【請求項５２】
マークアップ文書を用いてインターラクティブモードでＡＶデータを再生する方法において、
ユーザにより設定されたパレンタルレベルを確認する段階と、
前記マークアップ文書の所定要素に割当てられたクラス値を確認する段階と、
前記確認されたパレンタルレベル及び前記クラス値に基づき、かつディスプレイ規則情報を参照して、前記所定要素をディスプレイするか否かを決定する段階と、
前記ＡＶデータ再生により得られたＡＶスクリーンをマークアップスクリーンに埋込んでディスプレイする段階とを含むことを特徴とする方法。
【発明の詳細な説明】
【技術分野】
【０００１】
本発明は、パレンタルレベルによってマークアップ文書を再生する方法、その装置及び情報保存媒体に関する。
【背景技術】
【０００２】
ＰＣを基盤にＡＶデータをインタラクティブモードで再生できるＤＶＤ（以下“インタラクティブＤＶＤ”と称する）が販売されている。インタラクティブＤＶＤには、従来ＤＶＤ−Ｖｉｄｅｏ規格によってＡＶデータが記録されており、一方、インタラクティブ機能を支援するためのマークアップ文書がさらに記録されている。インタラクティブ−ＤＶＤに記録されたＡＶデータは２つの方法でディスプレイされうる。１つは、一般のＤＶＤ−Ｖｉｄｅｏと同じ方式でディスプレイされるビデオモードであり、他の１つは、ＡＶデータが再生されて表示されるＡＶ画面がマークアップ文書に定義された表示窓に埋め込まれてマークアップ文書と共にディスプレイされるインタラクティブモードである。例えば、ＡＶデータが映画タイトルである場合、表示窓には映画が上映されてディスプレイ画面の残り部分には映画の台本、あらすじ、出演俳優の写真など、多様なインタラクティブコンテンツが表示されうる。インタラクティブコンテンツは、タイトル（ＡＶデータ）と同期されて表示されることもある。例えば、特定の出演俳優が登場し始める時、その俳優についての履歴情報が含まれたマークアップ文書が呼び出されて表示される場合を挙げられる。
【０００３】
インタラクティブモードでマークアップ文書を通じて現れるインタラクティブコンテンツは多様なレベルを有しうる。すなわち、子供または青少年が見て不適切な内容が含まれうる。
【発明の開示】
【０００４】
したがって、本発明の目的は、インタラクティブモードで子供または青少年が見るには不適と見られるインタラクティブコンテンツのディスプレイを制御可能に製作されたマークアップ文書が記録された情報保存媒体、その再生方法及び再生装置を提供することである。
【０００５】
本発明の他の目的は、インタラクティブモードでＤＶＤ−Ｖｉｄｅｏ規格に合致するように子供または青少年が見るには不適と見られるインタラクティブコンテンツのディスプレイを制御可能に製作されたマークアップ文書が記録された情報保存媒体、その再生方法及び再生装置を提供することである。
【０００６】
本発明のさらに他の目的は、子供または青少年が見るには不適と見られるインタラクティブコンテンツのディスプレイを制御可能にマークアップ文書を再生する方法を提供することである。
【０００７】
（発明の構成及び作用）
前記目的は、本発明によって、ＡＶデータと、前記ＡＶデータをインタラクティブモードで再生するためのマークアップ文書とを含み、前記マークアップ文書のうち開始文書には設定されたパレンタルレベルに対応してディスプレイされるためのマークアップ文書に関する情報が記録されることを特徴とする情報保存媒体によって達成される。
【０００８】
前記開始文書に記録された情報は、パレンタルレベルが記録されたメタ情報、前記設定されたパレンタルレベル及び記録されたパレンタルレベルに対応するマークアップ文書に関するリンク情報を含むか、前記設定されたパレンタルレベルに対応するマークアップ文書の経路を知らせるリンク情報であることが望ましい。
【０００９】
または、前記目的はＡＶデータと、前記ＡＶデータをインタラクティブモードで再生するためのものであって、少なくとも２つの相異なるパレンタルレベルに各々対応する複数個のマークアップ文書を含むことを特徴とする情報保存媒体によっても達成される。
【００１０】
または、ＡＶデータが保存されたビデオディレクトリと、前記ＡＶデータをインタラクティブモードで再生するためのデータが保存されたインタラクティブディレクトリとを有し、前記インタラクティブディレクトリには少なくとも２つの相異なるパレンタルレベルに対応する複数個のサブディレクトリが存在し、前記サブディレクトリには該当パレンタルレベルに対応するマークアップ文書が各々保存されていることを特徴とする情報保存媒体によっても達成される。
【００１１】
または、ＡＶデータが保存されたビデオディレクトリと、前記ＡＶデータをインタラクティブモードで再生するための開始文書として指定されたマークアップ文書が保存されたインタラクティブディレクトリとを有し、前記インタラクティブディレクトリには、少なくとも２つのパレンタルレベルに対応する複数個のサブディレクトリが存在し、前記サブディレクトリには対応するマークアップ文書が各々保存されており、前記開始文書には前記パレンタルレベルに対応するように、前記サブディレクトリに保存された複数個のマークアップ文書に関するリンク情報が保存されていることを特徴とする情報保存媒体によっても達成される。
【００１２】
または、ＡＶデータと、前記ＡＶデータをインタラクティブモードで再生するためのマークアップ文書と、設定されたパレンタルレベルに合致するように前記マークアップ文書を表示するためのディスプレイ規則情報とが含まれることを特徴とする情報保存媒体によっても達成される。
【００１３】
一方、本発明の他の分野によれば、前記目的は、ＡＶデータをインタラクティブモードで再生する方法において、（ａ）設定されたパレンタルレベルを確認する段階と、（ｂ）確認されたパレンタルレベルに対応するマークアップ文書を使用して、前記ＡＶデータをインタラクティブモードで再生する段階と、を含むことを特徴とする方法によっても達成される。
【００１４】
前記（ｂ）段階は、（ｂ１）開始文書として指定されたマークアップ文書にメタ情報として記録されたパレンタルレベルを確認する段階と、（ｂ２）  前記（ｂ１）段階で確認されたパレンタルレベルと前記（ａ）段階で確認されたパレンタルレベルとの比較結果に対応するマークアップ文書を使用して、前記ＡＶデータをインタラクティブモードで再生する段階とを含むことが望ましく、前記（ｂ２）段階は前記メタ情報によるパレンタルレベルが前記設定されたパレンタルレベルより低ければ、対応するインタラクティブコンテンツを表示できないということを知らせる警告メッセージが表示されたマークアップ文書を使用して、前記ＡＶデータをインタラクティブモードで再生する段階であることが望ましい。
【００１５】
また、前記目的は、ＡＶデータをインタラクティブモードで再生する方法において、（ａ）設定されたパレンタルレベルを確認する段階と、（ｂ）インタラクティブディレクトリのサブディレクトリのうち、前記設定されたパレンタルレベルに対応するサブディレクトリに保存されたマークアップ文書を読出す段階と、（ｃ）  読出されたマークアップ文書を使用して前記ＡＶデータをインタラクティブモードで再生する段階と、を含むことを特徴とする方法によっても達成される。
【００１６】
また、マークアップ文書をディスプレイする方法において、（ａ）  マークアップ文書のエレメントに割当てられた値を確認する段階と、（ｂ）パレンタルレベルによるディスプレイ如何を定めたディスプレイ規則情報を参照して前記割当てられた値による前記エレメントのディスプレイ如何を決定する段階と、を含むことを特徴とする方法によっても達成される。
【００１７】
また、マークアップ文書を使用してＡＶデータをインタラクティブモードで再生する方法において、（ａ）マークアップ文書のエレメントに割当てられたクラス値を確認する段階と、（ｂ）パレンタルレベルによるディスプレイ如何を定めたディスプレイ規則情報を参照して前記クラス値による前記エレメントのディスプレイ如何を決定する段階と、（ｃ）決定された結果によるマークアップ画面に前記ＡＶデータを再生して得られたＡＶ画面を埋込んで再生する段階とを含むことを特徴とする方法によっても達成される。
【００１８】
前記ディスプレイ規則情報は、ＣＳＳ  ｒｕｌｅの形式によって記述されることが望ましく、ＣＳＳファイルで記録されることが特に望ましい。
【００１９】
一方、本発明の他の分野によれば、前記目的は、マークアップ文書を使用してＡＶデータをインタラクティブモードで再生する装置において、情報保存媒体から前記マークアップ文書及びＡＶデータを読出すリーダと、読出されたＡＶデータをデコーディングするＡＶデコーダと、読出されたマークアップ文書のエレメントに割当てられた値を確認し、パレンタルレベルによるディスプレイ如何を定めたディスプレイ規則情報を参照して前記割当てられた値による前記エレメントのディスプレイ如何を決定するプレゼンテーションエンジンと、前記プレゼンテーションエンジンにより解釈されたマークアップ文書から得られたマークアップ画面に前記ＡＶデータを再生して得られたＡＶ画面をブレンディングするブレンダーと、を含むことを特徴とする装置によっても達成される。
【００２０】
一方、本発明の他の分野によれば、前記目的は、再生システムにおいて、情報保存媒体と、前記情報保存媒体に記録されたＡＶデータを前記ＡＶデータに対応するマークアップ文書を用いてインターラクティブモードで再生する装置と、前記マークアップ文書を用いて得られたマークアップスクリーンを、前記ＡＶデータの再生によって得られて前記マークアップスクリーンに埋め込まれたＡＶスクリーンと共にディスプレイするディスプレイ装置とを含むことを特徴とするシステムによっても達成される。
【００２１】
一方、本発明の他の分野によれば、前記目的は、情報保存媒体からデータを再生する装置において、前記情報保存媒体からデータを読込むリーダと、前記情報保存媒体からＡＶデータとマークアップ文書を読出すように前記リーダに制御信号を出力する制御器とを含み、インターラクティブモードで前記制御器はユーザにより設定されて前記情報保存媒体に記録された前記ＡＶデータを再生するか否かを示すパレンタルレベルに対応する前記マークアップ文書を解釈する再生装置によっても達成される。
【００２２】
一方、本発明の他の分野によれば、前記目的は、インターラクティブモードでＡＶデータを再生する方法において、前記インターラクティブモードを選択する段階と、ユーザにより設定されたパレンタルレベルを確認する段階と、開始文書として指定されたマークアップ文書に記録されたパレンタルレベルを確認する段階と、前記マークアップ文書に記録されたパレンタルレベルと前記ユーザにより設定されたパレンタルレベルとを比較する段階と、前記開始文書に記録されたパレンタルレベルが前記ユーザにより設定されたパレンタルレベルより低い場合、前記ＡＶデータに対応するインターラクティブコンテンツはディスプレイできないとの警告メッセージとともに前記マークアップ文書を用いてインターラクティブモードで前記ＡＶデータを再生する段階と、前記開始文書に記録されたパレンタルレベルが前記ユーザにより設定されたパレンタルレベルより高い場合、前記ＡＶデータに対応するインターラクティブコンテンツを含む前記マークアップ文書を用いてインターラクティブモードで前記ＡＶデータを再生する段階と、を含む再生方法によっても達成される。
【００２３】
一方、本発明の他の分野によれば、前記目的は、マークアップ文書をディスプレイする方法において、ユーザにより設定されたパレンタルレベルを確認する段階と、前記マークアップ文書の所定要素に割当てられたクラス値を確認する段階と、前記確認されたパレンタルレベル及び前記所定要素に割当てられたクラス値に基づいて前記所定要素をディスプレイするか否かを決定する段階と、前記所定要素をディスプレイする段階と、を含むディスプレイ方法によっても達成される。
【００２４】
一方、本発明の他の分野によれば、前記目的は、マークアップ文書を用いてインターラクティブモードでＡＶデータを再生する方法において、ユーザにより設定されたパレンタルレベルを確認する段階と、前記マークアップ文書の所定要素に割当てられたクラス値を確認する段階と、前記確認されたパレンタルレベル及び前記クラス値に基づいて、そしてディスプレイ規則情報を参照して前記所定要素をディスプレイするか否かを決定する段階と、前記ＡＶデータ再生により得られたＡＶスクリーンをマークアップスクリーンに埋込んでディスプレイする段階とを含む再生方法によっても達成される。
【００２５】
（発明を実施するための最良の形態）
以下、添付された図面を参照して本発明の望ましい実施例を詳細に説明する。以下で、「マークアップ文書」はＨＴＭＬ、ＸＭＬなどのマークアップ言語で作成された文書はもとより、Ｓｃｒｉｐｔ言語、Ｊａｖａ（登録商標）などで作成されたソースコードがリンクされるか、挿入された文書を総称し、さらにマークアップ文書にリンクされたファイルを網羅するマークアップリソースの意味で使われる。すなわち、マークアップ文書は、ＡＶデータをインタラクティブモードで再生するために必要な一種のアプリケーションの役割をすると同時に、ＡＶデータと共にディスプレイされるインタラクティブコンテンツを含んでいる。
【００２６】
図１は、本発明の望ましい実施例に係る再生システムの概要図である。図１を参照するに、再生システムは、本実施例による情報保存媒体であるＤＶＤ  ３００、再生装置２００、本実施例に係るディスプレイ装置として、ＴＶ  １００、ユーザ入力装置としてリモコン４００を含む。リモコン４００は、ユーザの制御命令を受信して再生装置２００に伝達する。再生装置２００はＤＶＤ  ３００に記録されたデータが読出されるためのＤＶＤドライブが備えられている。ＤＶＤドライブにＤＶＤ  ３００がロードされ、ユーザがインタラクティブモードを選択すれば再生装置２００は対応マークアップ文書を使用して該当ＡＶデータをインタラクティブモードで再生してＴＶ  １００に伝達する。ＴＶ  １００には再生されたＡＶデータによるＡＶ画面がマークアップ文書から得られたマークアップ画面に埋め込まれて共に表示される。「インタラクティブモード」は、ＡＶデータをマークアップ文書に定義された表示窓にディスプレイされるように再生する方式、すなわちマークアップ画面にＡＶ画面が埋め込まれるようにディスプレイする方式をいう。ここで、ＡＶ画面は、ＡＶデータを再生してディスプレイ装置に表示される画面を示し、マークアップ画面はマークアップ文書が解釈されてディスプレイ装置に表示される画面を示す。インタラクティブモードで見られる画面は、インタラクティブ画面であると称する。インタラクティブ画面には、ＡＶ画面とマークアップ画面とが存在する。一方、「ビデオモード」は、ＡＶデータを従来のＤＶＤ−Ｖｉｄｅｏの定義によって再生する方式、すなわち該当ＡＶデータを再生して得られたＡＶ画面だけをディスプレイする方式をいう。本実施例で再生装置２００はインタラクティブモードとビデオモードとを何れも支援する。
【００２７】
また、再生装置２００にはパレンタルレベルを設定できる設定ボタンが備えられているか、パレンタルレベルを設定できるＯＳＤ（Ｏｎ  Ｓｃｒｅｅｎ  Ｄｉｓｐｌａｙ）メニューである。さらに、再生装置２００はインターネットなどのネットワークに接続してデータを送受信しうる。
【００２８】
図２は、本発明の望ましい実施例による再生装置２００のブロック図である。図２を参照するに、再生装置は、リーダ２、コントローラー３、ＡＶデコーダ４、及びブレンダー７を含む。コントローラー３には、プレゼンテーションエンジン５が搭載されている。リーダ２には、ＤＶＤ  ３００にレーザーを照射してデータを読出すための光ピックアップ（図示せず）が備えられている。リーダ２は、コントローラー３からの制御信号によって光ピックアップを制御してＤＶＤ  ３００からＡＶデータ及びマークアップ文書を読出す。ＡＶデコーダ４は、読出されたＡＶデータをデコーディングする。ＡＶデータがＤＶＤ−Ｖｉｄｅｏデータに記録された場合、ＡＶデコーダ４はＤＶＤ−Ｖｉｄｅｏデータをデコーディングする。
【００２９】
コントローラー３の一部としてプレゼンテーションエンジン５はソフトウェアの観点で、マークアップ言語及びクライアント解釈プログラム言語、例えば、ＪａｖａＳｃｒｉｐｔ、Ｊａｖａ（登録商標）などを解釈して実行する解釈エンジンである。また、プレゼンテーションエンジン５は、多様なプラグインをさらに含みうる。プラグインは、マークアップ文書に含まれるか、マークアップ文書にリンクされた多様なフォーマットのファイルを開けられるようにする。例えば、ウィンドウメディアプレーヤー用のＡＶデータを再生するためにウィンドウメディアプレーヤーを呼び出せる。また、プレゼンテーションエンジン５は、ネットワークに接続してマークアップ文書などデータを持ってくることができる。
【００３０】
プレゼンテーションエンジン５は、インタラクティブモードでＤＶＤ  ３００に記録されたＡＶデータをインタラクティブモードで再生するために、読出されたマークアップ文書を解釈する。すなわち、プレゼンテーションエンジン５は、再生装置２００にユーザから設定されたパレンタルレベルを確認し、これに対応するようにマークアップ文書を解釈する。
【００３１】
本実施例で設定されたパレンタルレベルは、ＤＶＤ−Ｖｉｄｅｏ規格に定義されたそれと同様に、Ｇ、ＰＧ、ＰＧ１３、Ｒ、ＮＣ−１７に区分される。本実施例でマークアップ文書は、ＤＶＤ−Ｖｉｄｅｏ規格によって記録されたＡＶデータをインタラクティブモードで再生するためのものであるために、互換性を考慮した。プレゼンテーションエンジン５は、再生装置２００に設定されたパレンタルレベルを確認するためにＡＰＩ（Ａｐｐｌｉｃａｔｉｏｎ  Ｐｒｏｇｒａｍ  Ｉｎｔｅｒｆａｃｅ）を使用する。一例は次のようである。但し、パレンタルレベルを確認するためのＡＰＩは従来のインタラクティブＤＶＤ−Ｖｉｄｅｏ、すなわち、ＩｎｔｅｒＡｃｔｕａｌ  Ａｐｐｌｉｃａｔｉｏｎ  Ｐｒｏｇｒａｍ  Ｉｎｔｅｒｆａｃｅ（ＡＰＩ）  Ｓｐｅｃｉｆｉｃａｔｉｏｎに定義されたＡＰＩをそのまま使用しても良い。
【００３２】
１．属性（Ｐｒｏｐｅｒｔｙ）
ＰａｒｅｎｔａｌＬｅｖｅｌ
２．要約
現在設定されたパレンタルレベル値を返還する。
３．返還値（Ｒｅｔｕｒｎ  Ｖａｌｕｅ）
ＥＣＭＡＳＣｒｉｐｔ  Ｎｕｍｂｅｒ  Ｓｉｇｎｅｄ  １  ｂｙｔｅ  ｉｎｔｅｇｅｒ
Ｐａｒｅｎｔａｌ  ｌｅｖｅｌ  ｒａｎｇｉｎｇ  ｆｒｏｍ  １  ｔｏ  ８  ｗｈｅｒｅ  
１  ＝  Ｇ  
２  ＝  Ｒｅｓｅｒｖｅｄ
３  ＝  ＰＧ
４  ＝  ＰＧ１３
５  ＝  Ｒｅｓｅｒｖｅｄ
６  ＝  Ｒ
７  ＝  ＮＣ−１７
８  ＝  Ｒｅｓｅｒｖｅｄ
ユーザは、パレンタルレベルを１、３、４、６、７のうち何れか１つに設定しうる。プレゼンテーションエンジン５は、ＡＰＩの“ＰａｒｅｎｔａｌＬｅｖｅｌ”Ｐｒｏｐｅｒｔｙを使用して現在再生装置２００に設定されたパレンタルレベルを確認しうる。
【００３３】
ブレンダー７は、ＡＶデータストリームがマークアップ文書により定義された表示窓にディスプレイされるように、すなわちＡＶ画面がマークアップ文書画面に埋め込まれるように、ＡＶデータストリームと解釈されたマークアップ文書とをブレンドしてＴＶ  １００に出力する。
【００３４】
図３は、本発明の第１実施例によって記録されたＤＶＤ  ３００のディレクトリ構造図である。図３を参照するに、ルートディレクトリには、ＡＶデータが保存されたビデオディレクトリＶＩＤＥＯ＿ＴＳが備えられている。ＶＩＤＥＯ＿ＴＳにはビデオタイトル全体に対するナビゲーション情報が記録されたナビゲーションファイルＶＩＤＥＯ＿ＴＳ．ＩＦＯが配置されている。次いで、最初のビデオタイトルセットについてのナビゲーション情報が記録されたナビゲーションファイルＶＴＳ＿０１＿０．ＩＦＯが記録されており、ビデオタイトルセットを構成するＡＶデータＶＴＳ＿０１＿０．ＶＯＢ，ＶＴＳ＿０１＿１．ＶＯＢ，…が記録されている。ＶＴＳ＿０１＿０．ＶＯＢ，ＶＴＳ＿０１＿１．ＶＯＢ，．．．はビデオタイトル、すなわちビデオオブジェクトである。各ＶＯＢには、ナビゲーションパック、ビデオパック、及びオーディオパックがパッキングされたＶＯＢＵが含まれている。さらに詳細な構成は、ＤＶＤ−Ｖｉｄｅｏ標準案「ＤＶＤ−Ｖｉｄｅｏ  ｆｏｒ  Ｒｅａｄ  Ｏｎｌｙ  Ｍｅｍｏｒｙ  ｄｉｓｃ  １．０」に開示されている。
【００３５】
ルートディレクトリにはまた、インタラクティブモードを支援するためのマークアップ文書が保存されたインタラクティブディレクトリＤＶＤ＿ＥＮＡＶが備えられている。ＤＶＤ＿ＥＮＡＶには、開始文書としてＳＴＡＲＴＵＰ．ＸＭＬが保存されている。また、設定されたパレンタルレベルによって選択的に示すためのマークアップ文書としてＩＮＤＥＸ．ＸＭＬ及びＷＡＲＮＩＮＧ．ＸＭＬが保存されている。また、ＤＶＤ＿ＥＮＡＶにはその他のマークアップ文書が保存される。すなわち、ＳＴＡＲＴＵＰ．ＸＭＬ、ＩＮＤＥＸ．ＸＭＬまたはＷＡＲＮＩＮＧ．ＸＭＬに挿入されるファイルなどが保存される。
【００３６】
開始文書には、パレンタルレベル情報とリンク情報とが記録されている。本実施例でパレンタルレベル情報は開始文書に記録されたパレンタルレベルを意味する。本実施例でリンク情報はユーザから設定されたパレンタルレベルが開始文書に記録されたパレンタルレベルより高い時に表示されるマークアップ文書に関する情報、及び設定されたパレンタルレベルが開始文書に記録されたパレンタルレベル以下である時に表示されるマークアップ文書に関する情報を意味する。次は、本実施例によるＳＴＡＲＴＵＰ．ＸＭＬの一例である。
【００３７】
【表１】
2005532626.tif 000003
開始文書ＳＴＡＲＴＵＰ．ＸＭＬにはパレンタルレベルが記録されたメタ情報及びリンク情報が記録されている。メタ情報＜ｍｅｔａ  ｎａｍｅ＝“ＰａｒｅｎｔａｌＬｅｖｅｌ”ｃｏｎｔｅｎｔｓ＝“４”／＞とリンク情報＜ｌｉｎｋ  ｒｅｌ＝“ＦｉｒｓｔＰａｇｅ”  ｈｒｅｆ＝“ｄｖｄ：／／ｄｖｄ＿ｅｎａｖ／ｉｎｄｅｘ．ＸＭＬ”／＞＜ｌｉｎｋｒｅｌ＝“Ｗａｒｎｉｎｇ”ｈｒｅｆ＝“ｄｖｄ：／／ｄｖｄ＿ｅｎａｖ／ｗａｒｎｉｎｇ．ＸＭＬ”／＞とによれば、再生装置２００に設定されたパレンタルレベルが４以下である場合には、ＷＡＲＮＩＮＧ．ＸＭＬが画面に表示され、４より高い場合にはＩＮＤＥＸ．ＸＭＬが表示される。
【００３８】
プレゼンテーションエンジン５は、前述したＡＰＩを使用してユーザにより設定されたパレンタルレベルを確認し、対応するマークアップ文書、すなわち開始文書に設定されたマークアップ文書に記録されたメタ情報とリンク情報とによるマークアップ文書とを読込んで解釈する。
【００３９】
図４は、本発明の第２実施例によって記録されたＤＶＤ  ３００のディレクトリ構造図である。図４を参照するに、ルートディレクトリにはＡＶデータが保存されたビデオディレクトリＶＩＤＥＯ＿ＴＳ、及びインタラクティブモードを支援するためのマークアップ文書が保存されたインタラクティブディレクトリＤＶＤ＿ＥＮＡＶが備えられている。ビデオディレクトリＶＩＤＥＯ＿ＴＳは、図３の説明と同じであるために、その反復的な説明は省略する。
【００４０】
インタラクティブディレクトリＤＶＤ＿ＥＮＡＶには、開始文書としてＳＴＡＲＴＵＰ．ＸＭＬが保存されている。また、相異なるパレンタルレベルを有するサブディレクトリＧ、ＰＧ、ＰＧ１３、Ｒ、ＮＣ−１７が備えられている。各サブディレクトリには指定されたパレンタルレベルに相応するように製作されたマークアップ文書ＩＮＤＥＸ．ＸＭＬが保存されている。また、ＤＶＤ＿ＥＮＡＶにはその他のマークアップ文書が保存される。すなわち、ＳＴＡＲＴＵＰ．ＸＭＬ、ＩＮＤＥＸ．ＸＭＬまたはＷＡＲＮＩＮＧ．ＸＭＬに挿入されるファイルなどが保存される。
【００４１】
開始文書には、リンク情報が記録されている。本実施例によるリンク情報はユーザから設定されたパレンタルレベルに相応して表示されるマークアップ文書に関する情報を含む。次は、本実施例によるＳＴＡＲＴＵＰ．ＸＭＬの一例である。
【００４２】
【表２】
2005532626.tif 000004
開始文書ＳＴＡＲＴＵＰ．ＸＭＬには、リンク情報が記録されている。リンク情報によれば、再生装置２００に設定されたパレンタルレベルが１である場合にはサブディレクトリＧに保存されたＩＮＤＥＸ．ＸＭＬが表示され、３である場合にはサブディレクトリＰＧに保存されたＩＮＤＥＸ．ＸＭＬが表示され、４である場合にはサブディレクトリＰＧ１３に保存されたＩＮＤＥＸ．ＸＭＬが表示され、６である場合にはサブディレクトリＲに保存されたＩＮＤＥＸ．ＸＭＬが表示され、７である場合にはサブディレクトリＮＣ−１３に保存されたＩＮＤＥＸ．ＸＭＬが表示される。
【００４３】
プレゼンテーションエンジン５は、再生装置２００に設定されたパレンタルレベルを確認し、開始文書に記録されたリンク情報を参照して相応するマークアップ文書を読込んで解釈する。
【００４４】
代案として、パレンタルレベル別に２つ以上の開始ページが存在する時、パレンタルレベル別に各々備えられた複数個の開始ページが同じディレクトリに相異なるファイル名で保存されうる。これによるＳＴＡＲＴＵＰ．ＸＭＬの一例は次の通りである。
【００４５】
【表３】
2005532626.tif 000005
図５は、本発明の第３実施例によって記録されたＤＶＤ  ３００のディレクトリ構造図である。図５を参照するに、ルートディレクトリにはＡＶデータが保存されたビデオディレクトリＶＩＤＥＯ＿ＴＳ、及びインタラクティブモードを支援するためのマークアップ文書が保存されたインタラクティブディレクトリＤＶＤ＿ＥＮＡＶが備えられている。ビデオディレクトリＶＩＤＥＯ＿ＴＳは、図３の説明と同じであるため、その反復的な説明は省略する。
【００４６】
インタラクティブディレクトリＤＶＤ＿ＥＮＡＶには、マークアップ文書ＩＮＤＥＸ．ＸＭＬが保存されている。また、再生装置２００に設定されたパレンタルレベルに相応するようにマークアップ文書ＩＮＤＥＸ．ＸＭＬを表示するためのＣＳＳ（Ｃａｓｃａｄｉｎｇ  Ｓｔｙｌｅ  Ｓｈｅｅｔ）ファイルが保存されている。ＣＳＳファイルは、マークアップ文書と別個に作成されず、マークアップ文書内部に含めうる。
【００４７】
本実施例の一具現例によるＣＳＳファイルにはディスプレイ規則情報が記録される。ディスプレイ規則情報は、ＣＳＳ規格に定義された“＠ｍｅｄｉａｒｕｌｅ”の形式によって記述される。“＠ｍｅｄｉａ  ｒｕｌｅ”は、ターゲットメディアによるディスプレイ規則を定義したものである。
【００４８】
【表４】
2005532626.tif 000006
例えば、上のような内容の“＠ｍｅｄｉａ  ｒｕｌｅ”は、プリント出力時のフォント大きさは１０とし、スクリーンへのディスプレイ時のフォント大きさは１２とし、プリント出力時とスクリーンディスプレイ時の行間は１．２にすることを示す。
【００４９】
ＣＳＳ規格の形式を採用した本実施例でのディスプレイ規則情報は次のように記述される。
【００５０】
【表５】
2005532626.tif 000007
前記ディスプレイ規則情報＠ｐａｒｅｎｔａｌＬｅｖｅｌ−ｄｉｓｐｌａｙは、パレンタルレベルがＧである時、割当てられた“ｃｌａｓｓ”属性値が３、４、６、７であるエレメントは、ディスプレイ形式を“ｂｏｘ”にし、“ｖｉｓｉｂｉｌｉｔｙ”は“ｈｉｄｄｅｎ”にすることを意味する。ディスプレイ形式を“ｂｏｘ”にしたのは、たとえ該当エレメントが見られなくても、そのエレメントが位置しているボックス領域は保存されることを意味する。見られないボックスも相変らずマークアップ文書の配置に影響を及ぼすので、“ｄｉｓｐｌａｙ”をｎｏｎｅにすれば、あらゆるボックスの生成が禁止されてマークアップ文書の配列にバラツキが生じる。すなわち、“ｄｉｓｐｌａｙ”を“ｂｏｘ”に指定したことは、エレメント配列のバラツキを防止するための措置である。“ｖｉｓｉｂｉｌｉｔｙ”は、該当エレメントにより生成されたボックスを表現するか否かを指定する。
【００５１】
次は、第３実施例の一具現例でＣＳＳ規格の形式を採用したディスプレイ規則情報がマークアップ文書ＩＮＤＥＸ．ＸＭＬの内部に含まれている場合のＩＮＤＥＸ．ＸＭＬの一例である。
【００５２】
【表６】
2005532626.tif 000008
前記例のように“ＢＯＤＹ”エレメント内の各エレメントには“ｃｌａｓｓ”属性値としてパレンタルレベル値が割当てられる。各エレメントのディスプレイ如何はディスプレイ規則情報＠ｐａｒｅｎｔａｌＬｅｖｅｌ−ｄｉｓｐｌａｙによって決定される。
【００５３】
次は、第３実施例の一具現例でＣＳＳ規格の形式を採用したディスプレイ規則情報がマークアップ文書ＩＮＤＥＸ．ＸＭＬと別個のファイル、すなわちＩＮＤＥＸ．ＣＳＳとして存在する場合のＩＮＤＥＸ．ＸＭＬ及びＩＮＤＥＸ．ＣＳＳの一例である。
【００５４】
【表７】
2005532626.tif 000009
2005532626.tif 000010
本実施例に係る他の具現例でＩＮＤＥＸ．ＸＭＬはＪａｖａＳｃｒｉｐｔのようなスクリプト言語を使用してフェアーレンタルレベルに合わせて文書を表現する。スクリプト言語は、一種のプログラミング言語であるために具現方式が多様である。その中の１つを採用した具現例は次のようである。
【００５５】
【表８】
2005532626.tif 000011
前記ＩＮＤＥＸ．ＸＭＬでは現在設定されたフェアーレンタルレベルを読込むｐｒｏｐｅｒｔｙとして前述した“ＰａｒｅｎｔａｌＬｅｖｅｌ”を使用した。また、簡単な条件文を使用して各レベルに合う文書表現方法をスクリプト言語を使用して示した。
【００５６】
一方、各条件文内に記述された内容は、外部ファイルとして存在するそれぞれのＣＳＳファイル及び／またはＪａｖａＳｃｒｉｐｔファイルをリンクする方式で記述されうる。
【００５７】
前述したような構成に基づいて本発明に係るインタラクティブモード再生方法を説明すれば次の通りである。
【００５８】
図６は、一実施例に係るインタラクティブモード再生方法を説明するためのフローチャートである。図６を参照するに、再生装置２００は、インタラクティブモードが選択されれば、ユーザにより設定されたパレンタルレベルを確認する（６０１段階）。次いで、確認されたパレンタルレベルに対応するマークアップ文書を使用してＡＶデータをインタラクティブモードで再生する（６０２段階）。
【００５９】
前記６０２段階は次のように実行される。再生装置２００は開始文書として指定されたマークアップ文書に記録されたパレンタルレベルを確認し、記録されたパレンタルレベルと前記６０１段階で確認されたパレンタルレベルとの比較結果によって、すなわち、設定されたパレンタルレベルが、記録されたパレンタルレベル以下であれば、対応するインタラクティブコンテンツを表示できないとの警告メッセージが表示されたマークアップ文書を使用して前記ＡＶデータをインタラクティブモードで再生し、設定されたパレンタルレベルが記録されたパレンタルレベルより高ければ、対応するインタラクティブコンテンツが含まれたマークアップ文書を使用して再生する。
【００６０】
図７は、他の実施例によってＡＶデータをインタラクティブモードで再生する方法を説明するためのフローチャートである。図７を参照するに、再生装置２００は、ユーザから設定されたパレンタルレベルを確認する（７０１段階）。次いで、インタラクティブディレクトリのサブディレクトリのうち前記設定されたパレンタルレベルに対応するサブディレクトリに保存されたマークアップ文書を読出し（７０２段階）、読出されたマークアップ文書を使用して前記ＡＶデータをインタラクティブモードで再生する（７０３段階）。
【００６１】
図８は、他の実施例によってマークアップ文書をディスプレイする方法を説明するためのフローチャートである。図８を参照するに、再生装置２００は、ユーザにより設定されたパレンタルレベルを確認する（８０１段階）。次いで、マークアップ文書のエレメントに割当てられたクラス値を確認する（８０２段階）。次いで、再生装置２００は、ディスプレイ規則情報を参照し、設定されたパレンタルレベル及び割当てられたクラス値による該当エレメントのディスプレイ如何を決定してディスプレイする（８０３段階）。
【００６２】
図９は、他の実施例に係るマークアップ文書を使用してＡＶデータをインタラクティブモードで再生する方法を説明するためのフローチャートである。図９を参照するに、再生装置２００は、ユーザにより設定されたパレンタルレベルを確認する（９０１段階）。次いで、マークアップ文書のエレメントに割当てられたクラス値を確認する（９０２段階）。次いで、再生装置２００は、ディスプレイ規則情報を参照して、設定されたパレンタルレベルと割当てられたクラス値とによる該当エレメントのディスプレイ如何を決定する（９０３段階）。次いで、決定された結果によるマークアップ画面にＡＶデータを再生して得られたＡＶ画面を埋込んで再生する（９０４段階）。
【００６３】
（産業上の利用分野）
前述した本発明によれば、インタラクティブモードで子供または青少年が見るには不適と見られるインタラクティブコンテンツのディスプレイを制御可能に製作されたマークアップ文書が記録された情報保存媒体、その再生方法及び再生装置が提供される。また、インタラクティブモードでＤＶＤ−Ｖｉｄｅｏ規格に合致するように子供または青少年が見るには不適と見られるインタラクティブコンテンツのディスプレイを制御可能になる。特に、エレメント別に等級を分けて画面に表示可能にすることによって、同じマークアップ文書を年齢層に合わせて多様にディスプレイしうる。
【図面の簡単な説明】
【００６４】
【図１】本発明の望ましい実施例に係る再生システムの概要図である。
【図２】本発明の望ましい実施例に係る再生装置２００のブロック図である。
【図３】本発明の第１実施例によって記録されたＤＶＤ３００のディレクトリ構造図である。
【図４】本発明の第２実施例によって記録されたＤＶＤ３００のディレクトリ構造図である。
【図５】本発明の第３実施例によって記録されたＤＶＤ３００のディレクトリ構造図である。
【図６】一実施例に係るインタラクティブモード再生方法を説明するためのフローチャートである。
【図７】他の実施例によってＡＶデータをインタラクティブモードで再生する方法を説明するためのフローチャートである。
【図８】他の実施例によってマークアップ文書をディスプレイする方法を説明するためのフローチャートである。
【図９】他の実施例に係るマークアップ文書を使用してＡＶデータをインタラクティブモードで再生する方法を説明するためのフローチャートである。
【図１】
2005532626.tif 000012
【図２】
2005532626.tif 000013
【図３】
2005532626.tif 000014
【図４】
2005532626.tif 000015
【図５】
2005532626.tif 000016
【図６】
2005532626.tif 000017
【図７】
2005532626.tif 000018
【図８】
2005532626.tif 000019
【図９】
2005532626.tif 000020
【国際調査報告】
2005532626.tif 000021